(57)【要約】【課題】スパナ等の工具を使用して滑らずに確実に回動操作させることを可能としたＬ字型アンカー部材を提供する。【解決手段】金属丸棒材をＬ字型に屈曲し、屈曲された丸棒部分１，２のうち、回動操作する側の丸棒部分１の先端にネジ部３を設け、その直下に丸棒部分に塑性変形加工による扁平板部４を設けた構成とする。【効果】前記扁平板部４をスパナ等の工具で挟持することで、アンカー部材を滑らずに確実に回動操作させることができる。【選択図】　図１
2004011874.tif 000002
【特許請求の範囲】
【請求項１】
金属丸棒材を用いてＬ字型またはＴ字型に形成するアンカー部材であって、回動操作する側の丸棒部分と回動変位される側の丸棒部分のうち、回動操作する側の丸棒部分の一部に塑性変形加工による扁平板部が形成されていることを特徴とするアンカー部材。
【請求項２】
前記扁平板部が形成された丸棒部分の先端にネジ部が形成されている請求項１に記載のアンカー部材。
【請求項３】
回動変位される側の丸棒部分の全体または一部が塑性変形加工による扁平板部とされている請求項１〜２のいずれかに記載のアンカー部材。
【請求項４】
金属丸棒材を細長い金属板材上に起立状に固定して成るＴ字型アンカー部材であって、回動操作する側の前記金属丸棒材の一部に塑性変形加工による扁平板部が形成されていることを特徴とするアンカー部材。
【請求項５】
前記金属丸棒材の先端にネジ部が形成されている請求項４に記載のアンカー部材。
【発明の詳細な説明】
【０００１】
【発明の属する技術分野】
本発明は、コンクリート構造物に用いて好適なアンカー部材の改良に関する。
【０００２】
【従来の技術】
従来、コンクリート構造物等に用いられるアンカー部材として、図１１に示すように、所要長さの金属丸棒材をＬ字型に屈曲し、屈曲された丸棒部分１，２のうち、一方の丸棒部分１の先端にネジ部３を形成したＬ字型アンカー部材が知られている。また、前記丸棒部分２を長くし、その中央部位に丸棒部分１を固定し、その先端にネジ部を形成したＴ字型アンカー部材も知られている。
【０００３】
【発明が解決しようとする課題】
上記Ｌ字型アンカー部材の使用例として、例えば構造物中に丸棒部分２を入れ込ませたあと、丸棒部分１を把持して９０度回動操作し、その回動操作によって丸棒部分２をアンカー作用の得られる角度部位に回動変位させる使い方がある。
【０００４】
しかし、回動変位される丸棒部分２がおかれている周囲の状態によっては容易に回動操作させにくいことがある。このようなときは、スパナ等の工具で丸棒部分１を挟持して回動操作すればよいが、回動変位される丸棒部分２が大きな抵抗を受けるような状態では、スパナ等の工具を用いても滑りが生じ、容易に回動操作させることができない。
【０００５】
本発明は、上記問題に鑑みてなされたものであって、スパナ等の工具を使って滑らずに確実に回動操作させることを可能としたアンカー部材を提供することを目的とする。
【０００６】
【課題を解決するための手段】
上記目的を達成するため、請求項１の発明は、金属丸棒材を用いてＬ字型またはＴ字型に形成するアンカー部材であって、回動操作する側の丸棒部分と回動変位される側の丸棒部分のうち、回動操作する側の丸棒部分の一部に塑性変形加工による扁平板部が形成されていることを要旨とする。
【０００７】
請求項２の発明は、請求項１において、扁平板部が形成された丸棒部分の先端にネジ部が形成されていることを要旨とする。
【０００８】
請求項３の発明は、請求項１〜２において、回動変位される側の丸棒部分の全体または一部が塑性変形加工による扁平板部とされていることを要旨とする。
【０００９】
請求項４の発明は、金属丸棒材を細長い金属板材上に起立状に固定して成るＴ字型アンカー部材であって、回動操作する側の前記金属丸棒材の一部に塑性変形加工による扁平板部が形成されていることを要旨とする。
【００１０】
請求項５の発明は、請求項４において、金属丸棒材の先端にネジ部が形成されていることを要旨とする。
【００１１】
【発明の実施の形態】
本発明の好ましい実施の形態としては、図１に示すように、金属丸棒材をＬ字型に屈曲してなるアンカー部材において、屈曲された丸棒部分１，２のうち、回動操作する側の丸棒部分１の先端にネジ部３を設け、その直下の丸棒部分に塑型変形加工による扁平板部４を設けた構成とする。
上記構成によれば、扁平板部４をスパナ等の工具が挟持することで、滑らずにアンカー部材を回動操作させることが可能となる。
【００１２】
【実施例】
図１に、本発明の一実施例によるＬ字型のアンカー部材を示す。このアンカー部材は、金属丸棒材をＬ字型に屈曲し、屈曲された丸棒部分１，２のうち、回動操作する側の丸棒部分１の先端にネジ部３が設けられ、その直下の丸棒部分に塑型変形加工による扁平板部４が設けられている。
【００１３】
図２〜図３に、上記構成のアンカー部材を低温液化ガス貯槽の周囲に施工される防液堤構築に使用した例を示している。
図２において、Ａは砂層、Ｂはその上に敷き詰めたコンクリートセグメント層である。まず、前記セグメント層Ｂの突き合わせ目地部に前記アンカー部材をその丸棒部分２が砂層Ａに埋まるところまで挿入し、そこでセグメントの上に突出している丸棒部分１の扁平板部４をスパナ等の工具（図示してない）で挟持し、ほぼ９０度回動させる。この回動操作により、図３に示すように、アンカー部材の丸棒部分２は砂層Ａのなかでセグメント層Ｂに下側面に係合し得る位置（アンカー位置）に回される。
【００１４】
このあと、図３に示すように、セグメント層Ｂの上に突出する丸棒部分１の先端ネジ部３に鉄筋に代る座板部材５をナット６，７で固定し、そのあとコンクリートセグメント層Ｂ上に型枠を用いてコンクリートを流し込んでコンクリート層Ｃを形成する。
【００１５】
前記防液堤の構築に使用する前記アンカー部材は、砂層の抵抗を受けるため、回動操作は困難なものとなるが、丸棒部分１に形成した扁平板部４をスパナ等の工具で強固に挟持できるので、丸棒部分２をアンカー角度位置まで滑らずに容易に回り込ませることが可能となる。
【００１６】
図４〜図５に、本発明の他の実施例によるＬ字型アンカー部材を示す。このアンカー部材は、Ｌ字型に屈曲した丸棒部分１，２のうち、丸棒部分１の先端ネジ部を省き、挿入した座板部材５を扁平板部４で受け止め、そのうえに挿入した爪付きタイプのスプリングワッシャー８を座板部材の抜け止めとしている。このワッシャー８は座板部材を挟む２個所に入れて挟持してもよい。
【００１７】
図６に、本発明の実施例によるＴ字型アンカー部材を示す。なお、図１〜図２と同一または類似する部材には同じ符号が付されている。
本実施例では、２本の金属丸棒材１，２をＴ字型となるように溶接により組み付け、丸棒材１の先端にネジ部３が設けられ、その下側に塑変形加工による扁平板部４が形成されている。
【００１８】
図７に、前記Ｔ字型アンカー部材を、図２〜図３と同様に、防液堤の構築に使用した例を示している。
このＴ字型アンカー部材の使用では、回動操作時に受ける抵抗は大きくなるが、この場合でもＬ字型アンカー部材と同様にアンカー角度位置へ容易に回り込ませることができる。また、このＴ字型アンカー部材は２個所でアンカー機能が発揮されるので、強固なアンカー力が得られる。
【００１９】
図８に、本発明の他の実施例によるＬ字型アンカー部材を示す。この実施例は、図１の回動変位される丸棒部分２の全部が塑性変形加工により扁平板部２ａとされたものである。
このように、回動変位される丸棒部分を扁平板部とすることで、アンカー部材を回動操作する際、丸棒部分に較べて砂層で受ける抵抗が小さくなり、回動操作がより容易となる。
【００２０】
図９に、本発明の他の実施例によるＴ字型アンカー部材を示す。この実施例は、図６の回動変位される丸棒材２の先端側の部分が塑性変形加工により扁平板部２ａとされたものである。このアンカー部材でも回動操作の円滑化が図れる。
【００２１】
図１０に、本発明の他の実施例によるＴ字型アンカー部材を示す。この実施例は、図６の丸棒材２に代えて細長い金属板２ｂを用い、これに丸棒部分１を溶接等で起立状に固定して構成したものである。このアンカー部材は、丸棒部分を塑性変形加工して扁平板部とするものに較べ、厚さがより薄くて砂層が受ける抵抗をさらに小さくすることができる。
【００２２】
【発明の効果】
以上詳述したように、本発明によれば、スパナ等の工具を使用して滑らずに確実に回動操作させることを可能としたアンカー部材が得られる。
【図面の簡単な説明】
【図１】本発明の一実施例を示すＬ字型アンカー部材の斜視図である。
【図２】Ｌ字型アンカー部材を使用した防液堤構造の断面図である。
【図３】Ｌ字型アンカー部材をアンカー角度位置に回動させた状態の断面図である。
【図４】本発明の他の実施例を示すＬ字型アンカーボルト部材の正面図である。
【図５】爪付きスプリングワッシャーの斜視図である。
【図６】本発明の他の実施例を示すＴ字型アンカー部材の斜視図である。
【図７】Ｔ字型アンカー部材を使用した防液堤構造の断面図である。
【図８】本発明の他の実施例を示すＬ字型アンカー部材の斜視図である。
【図９】本発明の他の実施例を示すＴ字型アンカー部材の斜視図である。
【図１０】本発明の他の実施例を示すＴ字型アンカー部材の斜視図である。
【図１１】従来のＬ字型アンカー部材の斜視図である。
【符号の説明】
１，２　Ｌ字型アンカー部材を構成する丸棒部分
２ａ　扁平板部
２ｂ　金属板
３　ネジ部
４　扁平板部
Ａ　砂層
Ｂ　コンクリートセグメント層
Ｃ　流し込みセメントコンクリート層
５　座板部材
６，７　ナット
８　爪付きスプリングワッシャー
【図１】
2004011874.tif 000003
【図２】
2004011874.tif 000004
【図３】
2004011874.tif 000005
【図４】
2004011874.tif 000006
【図５】
2004011874.tif 000007
【図６】
2004011874.tif 000008
【図７】
2004011874.tif 000009
【図８】
2004011874.tif 000010
【図９】
2004011874.tif 000011
【図１０】
2004011874.tif 000012
【図１１】
2004011874.tif 000013